(57)【特許請求の範囲】
【請求項１】
住宅の屋根部分の躯体を構成する屋根架構において、
屋根の軒側に位置する壁面に出窓構造部が設けられ、
この出窓構造部は、その幅方向の両側部における住宅の軒と略同一高さ位置から室内側に水平に延びる小屋梁材と、この小屋梁材の上面における住宅壁面側の端部から所定寸法を存した位置に立設された葺き上げ柱と、上記出窓構造部の出隅部に設けられ、上端位置が葺き上げ柱の上端位置に略一致する出窓柱と、上記葺き上げ柱と出窓柱とを連結する梁材とを備えており、この出窓構造部の上端位置が、住宅の小屋梁よりも高い位置に設定されていることを特徴とする屋根架構。
【請求項２】
請求項１記載の屋根架構において、
小屋梁の住宅壁面側の端部には、出窓部の入隅部を構成する納り柱が接続されており、
この納り柱の上端位置は、葺き上げ柱及び出窓柱の上端位置と略同じ高さ位置に設定されていて、梁材は、これら各柱の上端部同士を連結していることを特徴とする屋根架構。
【発明の詳細な説明】
【０００１】
【発明の属する技術分野】
本発明は住宅の屋根架構に係る。特に、切妻屋根を有する住宅の桁側のように屋根が傾斜する側の壁面（軒側の壁面）に窓を設ける場合の室内への採光量の拡大対策に関する。
【０００２】
【従来の技術】
従来より、住宅の屋根部分の躯体である屋根架構の構造は、例えば特開平１０−１０２６６２号公報に開示されている。この屋根架構の一般的な構成は、図１１にも示すように、屋根勾配に沿うように高さ寸法が互いに異なる複数本の小屋束ａ，ａ，…が小屋梁ｂ上に立てられている。また、住宅の桁方向（紙面鉛直方向）に延びる母屋ｃ，ｃ，…が各小屋束ａ，ａ間に架け渡されている。更に、住宅の妻方向（図中左右方向）に延びる垂木ｄ，ｄ，…が各母屋ｃ，ｃ間に架け渡されている。そして、この垂木ｄ，ｄ，…上に野路板ｅ及び瓦ｆが載せられている。
【０００３】
また、室内の採光量を多くするために、従来より、住宅の桁側の壁面ｇに出窓ｈを設けることも行われている。この出窓ｈは、上記小屋梁ｂに連結された出窓用躯体ｉが住宅の外方に張り出すように配設され、ガラスｊが取り付けられて太陽光を室内に取り込むようになっている。
【０００４】
また、この出窓の構造として、上述したような小屋梁ｂに出窓用躯体ｉを連結するものに代えて、住宅の壁内の躯体に出窓用躯体を連結し、上述と同様に、住宅の外方に張り出すように配置されたものもある。
【０００５】
【発明が解決しようとする課題】
ところが、上述のような従来の屋根架構にあっては、出窓ｈの上端位置は軒ｋよりも下側に位置している。また、軒ｋの高さ位置は、小屋梁ｂの高さ位置と同等の位置か、それよりも低い位置に設定されている。従って、出窓ｈのガラス上端位置は小屋梁ｂよりも低い位置に設定されることになる。このため、たとえ出窓を設けても、採光領域を小屋梁ｂの上方まで広げることはできず、採光量には限界があった。
【０００６】
一方、従来の屋根架構の構造において、室内への採光量を大きく確保するためには、軒の高さ位置を高くする必要があり、そのために、小屋梁の高さ位置を高く設定する必要がある。しかし、これでは、屋根全体の高さ位置を従来よりも上方に設定したり、屋根勾配を小さくせねばならないことになる。これでは、住宅全体の外観のバランスを損ね、住宅の見栄えを悪化させることに繋がってしまう。
【０００７】
本発明は、かかる点に鑑みてなされたものであり、その目的とするところは、小屋梁の高さを高く設定すること無しに、軒側の壁面に設けられる窓による採光量を拡大することができる屋根架構を提供することにある。
【０００８】
【課題を解決するための手段】
−発明の概要−
上記目的を達成するために、本発明は、住宅の壁面に設けられる出窓の架構である出窓構造部の上端を、高い位置に設けることで、住宅の躯体を変更すること無しに高い位置に窓の上端を位置させることができるようにした。
【０００９】
−解決手段−
具体的に、本発明が講じた第１の解決手段は、住宅の屋根部分の躯体を構成する屋根架構を前提としている。この屋根架構に対し、屋根の軒側に位置する壁面に出窓構造部を設ける。そして、この出窓構造部に、小屋梁材、葺き上げ柱、出窓柱及び梁材を設けている。小屋梁材は、出窓構造部の幅方向の両側部における住宅の軒と略同一高さ位置から室内側に水平に延びている。葺き上げ柱は、小屋梁材の上面における住宅壁面側の端部から所定寸法を存した位置に立設されている。出窓柱は、上記出窓構造部の出隅部に設けられ、上端位置が葺き上げ柱の上端位置に略一致している。梁材は、上記葺き上げ柱と出窓柱とを連結している。これにより、出窓構造部の上端位置を、住宅の小屋梁よりも高い位置に設定している。
【００１０】
この特定事項により、出窓構造部に取り付けられる窓の上端位置を住宅の小屋梁よりも高い位置に設定することが可能になる。このため、室内への採光量を拡大することができる。
【００１２】
また、上記梁材の間の壁面を、住宅躯体の小屋梁よりも高い位置に設けることができる。従って、この壁面に設けられる窓の上端高さ位置は梁材の近傍位置、つまり、小屋梁よりも高い位置に設定することができる。
【００１３】
第２の解決手段は、上記第１の解決手段において、小屋梁の壁面側の端部に、出窓部の入隅部を構成する納り柱を接続する。この納り柱の上端位置を、葺き上げ柱及び出窓柱の上端位置と略同じ高さ位置に設定する。そして、梁材により、これら各柱の上端部同士を連結している。
【００１４】
この特定事項により、出窓部は、出隅部及び入隅部をそれぞれ構成する柱と、葺き上げ柱との３種類の柱によって架構が構成され、また、これら柱同士が梁材によって連結されている。このため、出窓部の剛性を高く確保することができる。
【００１５】
【発明の実施の形態】
以下、本発明の実施の形態を図面に基づいて説明する。図１は、本発明に係る屋根架構を有する住宅１の外観図である。図２は、この住宅の屋根部分（出窓が設けられている部分であって、図１における右上部）の斜視図である。
【００１６】
これら図に示すように、本住宅１の出窓部分２は、上部に寄棟屋根４を備えている。つまり、この住宅１は、住宅室内全体を覆う主屋根３（この主屋根３も寄棟屋根で構成されている）と、出窓部分２の上方を覆う上記寄棟屋根で成る副屋根４とを備えている。この副屋根４の特徴として、その軒４１の高さ位置は、主屋根３の軒３１の高さ位置よりも高く設定されている。また、この出窓部分２は、住宅の平面視における張出し寸法が例えば７５０mmであり、幅寸法が２０００mmまたは２５００mmに設定されている。
【００１７】
−出窓部分２の架構の説明−
以下、副屋根４の軒４１の高さ位置を、主屋根３の軒３１の高さ位置よりも高く設定するための出窓部分２の架構構造について説明する。
【００１８】
図３は出窓部分２の架構構造を示す斜視図である。図４は図３におけるIV-IV 線に沿った断面図である。図５は出窓部分２の一部を破断した側面図である。図６は出窓部分２の一部を破断した正面図である。
【００１９】
これら図に示すように、この出窓部分２の架構構造は、副数本の小屋梁材としての小屋梁５１，５２，５３を備えている。これら小屋梁のうちの２本は、出窓部分２の幅方向の両側部から室内側へ水平方向に延びる第１及び第２の小屋梁５１，５２である。
【００２０】
これら第１及び第２の小屋梁５１，５２における壁面側（図３における手前側）の端部は、出窓部分２の入隅部を構成する納り柱６１，６２に接続している。この納り柱６１，６２の上端位置は、小屋梁５１，５２の上端面よりも所定寸法（例えば５００mm）だけ高い位置に設定されている。
【００２１】
また、この第１及び第２の小屋梁５１，５２の上面における納り柱６１，６２への接続部から所定寸法を存した室内側の位置には、長さ寸法が例えば５００mmの葺き上げ柱７が立設されている。
【００２２】
上記納り柱６１，６２の外側（図３における手前側）には、出窓部分２の出隅部を構成する左右一対の出窓柱としての出隅柱８１，８２が立設されている。この出隅柱８１，８２は、下端が２階梁９に連結し、上端位置が上記納り柱６１，６２の上端位置と同等の高さ位置に設定されている。これにより、上記納り柱６１，６２、葺き上げ柱７及び出隅柱８１，８２の各上端位置は互いに同じ高さ位置に設定されている。
【００２３】
出窓部分２の幅方向で対向する葺き上げ柱７，７の上端部同士、納り柱６１，６２の上端部同士、出隅柱８１，８２の上端部同士は出窓用小屋梁１０ａ，１０ｂ，１０ｃによって連結されている。同様に、出窓部分２の奥行き方向で対向する葺き上げ柱７と納り柱６１，６２との上端部同士及び納り柱６１，６２と出隅柱８１，８２との上端部同士も梁材としての出窓用小屋梁１１ａ，１１ｂによって連結されている。
【００２４】
また、上記納り柱６１，６２と出隅柱８１，８２との間で且つ出窓用小屋梁１１ｂの下側（第１及び第２の小屋梁５１，５２と同じ高さ位置）には補助小屋梁１１ｃ，１１ｃが設けられ、この補助小屋梁１１ｃ，１１ｃによって納り柱６１，６２と出隅柱８１，８２とが連結されている。
【００２５】
また、上記第１及び第２の小屋梁５１，５２における葺き上げ柱７よりも室内側の部分は、出窓部分２の幅方向に延びる第３の小屋梁５３によって連結されている。この第３の小屋梁５３の上面中央部には、上記葺き上げ柱７よりも長さ寸法が長い（例えば１０００mm）第１小屋束１２ａが立設されている。つまり、この第１小屋束１２ａの上端位置は葺き上げ柱７の上端位置よりも高い位置に設定されている。
【００２６】
更に、出窓部分２の幅方向に延びる上記３本の出窓用小屋梁１０ａ，１０ｂ，１０ｃのうち室内側の２本の中央部同士はセンタ小屋梁１３（図３では破線で示している）によって連結されている。このセンタ小屋梁１３には第２小屋束１２ｂが立設されている。この第２小屋束１２ｂの上端高さ位置は上記第１小屋束１２ａの上端高さ位置に一致している。そして、この第１小屋束１２ａの上端部と第２小屋束１２ｂの上端部とは出窓用棟梁１４によって連結されている。
【００２７】
以上が出窓部分２の架構構造である。
そして、図５に示すように、主屋根３の垂木３２の下端位置は第１及び第２の小屋梁５１，５２の高さ位置に略一致している。一方、副屋根４の垂木４２の下端位置は出窓用小屋梁１０ａ，１０ｂ，１０ｃの高さ位置に略一致している。つまり、副屋根４の軒４１の高さは、主屋根３の軒３１の高さよりも高く設定されることになる。言い換えると、出窓用小屋梁１０ａ，１０ｂ，１０ｃは、葺き上げ柱７の寸法だけ第１及び第２小屋梁５１，５２よりも高い位置に設定されている。この寸法だけ副屋根４の軒４１の高さが主屋根３の軒３１の高さよりも高く設定されているのである。
【００２８】
また、図５における２０は出窓部分２の天井面を示している。このように、本形態の出窓部分２では、出窓用小屋梁１０ａ，１０ｂ，１０ｃの高さ位置が第１及び第２小屋梁５１，５２よりも高くなっている分だけ天井面２０の高さ位置も高くなっている。
【００２９】
図２及び図６に示すように、出窓部分２は、納り柱６１，６２と出隅柱８１，８２との間、左右一対の出隅柱８１，８２同士の間に外壁１５，１６が形成されている。これら外壁１５，１６には窓１７，１８が設けられている。納り柱６１，６２と出隅柱８１，８２との間に形成されている側壁１５の上部には主屋根３の軒３１が繋がるため、この軒３１よりも下側に窓１７が設けられる。つまり、この窓１７の上端位置は第１及び第２小屋梁５１，５２よりも低い位置に設定されている。
【００３０】
一方、左右一対の出隅柱８１，８２同士の間に形成されている壁１６にも窓１８が設けられている。この壁１６には最も外側に位置する出窓用小屋梁１０ｃと２階梁９とを連結する一対の柱材１９，１９が設けられている。この柱材１９，１９同士の間、柱材１９と出隅柱８１，８２との間のそれぞれに窓１８が設けられている。柱材１９，１９同士の間に設けられている窓は引き違い窓１８ａである。一方、柱材１９と出隅柱８１，８２との間に設けられている窓は開き窓１８ｂである。これら窓１８ａ，１８ｂの上端位置は、この壁１６の上端部分近傍位置に設定されている。従って、この窓１８の上端位置を、副屋根４の軒４１の高さ位置付近に設定することが可能になる。つまり、この窓１８の上端位置を第１及び第２小屋梁５１，５２の高さ位置（主屋根３の軒３１の高さ位置）よりも高い位置に設定することができる。
【００３１】
その結果、従来の屋根架構を備えた住宅に比べて、屋根全体の高さ位置を上方に設定したり、屋根勾配を小さくするといったこと無しに、採光量の拡大を図ることができる。この採光量は従来の出窓では実現できなかったものである。つまり、住宅全体の外観のバランスを損ねること無しに、室内の明るさを良好に確保することができる。また、副屋根４の軒４１の高さが、主屋根３の軒３１の高さよりも高くなっているため、これまでに無い住宅の外観を得ることができ、住宅の外観を象徴的に演出することもできる。
【００３２】
（その他の実施形態）
以下に、上述した実施形態の変形例について説明する。ここでは、上述した実施形態と同様の部材については、同一の符号を付し説明を省略する。
【００３３】
図７に示すものは、第３小屋梁５３の上面に立設される第１小屋梁１２ａを２本備えさせたものである。この構成によれば、副屋根４の小屋組の剛性の向上を図ることができる。
【００３４】
また、図８に示すものは、第１小屋梁１２ａを３本備えさせたものである。この構成によれば、副屋根４の小屋組の剛性の更なる向上を図ることができる。また、上述した実施形態は、副屋根４を主屋根３の右端部分に配置したものであったが、この図８に示すものは、副屋根４を主屋根３の水平方向の中間位置に配置する場合の架構である。
【００３５】
また、上述した実施形態のものは、寄棟の主屋根３に同じく寄棟の副屋根４を組み合わせたものであった。これに代えて、図９に示すように、寄棟の主屋根３に切妻の副屋根４を組み合わせることも可能である。この場合の屋根架構の構成を図１０に示す。また、この図１０に示すものでは、出窓用棟梁１４の外側端（図中手前側端）を支持する第２小屋梁１２ｂを、出窓部分２の外側端を構成する出窓用小屋梁１０ｃの上面に立設している。また、最も室内側に位置する出窓用小屋梁１０ａの上面にも小屋束１２ｃを立設している。
【００３６】
更に、上述した屋根同士の組み合わせ以外に、切妻の主屋根の桁側に寄棟や切妻の副屋根を組み合わせるようにしてもよい。
【００３７】
【発明の効果】
以上のように、本発明によれば、以下のような効果が発揮される。
【００３８】
請求項１記載の発明では、住宅の壁面に設けられる出窓の架構である出窓構造部の上端を、住宅の小屋梁よりも高い位置に設けることで、住宅の躯体を変更すること無しに高い位置に窓の上端を位置させることができるようにした。このため、従来の屋根架構を備えた住宅に比べて、屋根全体の高さ位置を上方に設定したり、屋根勾配を小さくするといったこと無しに、採光量の拡大を図ることができる。この採光量は従来の出窓では実現できなかったものである。つまり、住宅全体の外観のバランスを損ねること無しに、室内の明るさを良好に確保することができる。
【００４０】
請求項２記載の発明では、出窓部の架構を３種類の柱によって構成し、これら柱同士を梁材によって連結している。このため、出窓構造部の剛性を高く確保することができ、本発明に係る屋根架構の実用性の更なる向上を図ることができる。
【図面の簡単な説明】
【図１】実施形態に係る住宅の外観図である。
【図２】出窓部分の斜視図である。
【図３】出窓部分の架構構造を示す斜視図である。
【図４】図３におけるIV-IV 線に沿った断面図である。
【図５】出窓部分の一部を破断した側面図である。
【図６】出窓部分の一部を破断した正面図である。
【図７】副屋根用の小屋束を２本備えさせた場合の図３相当図である。
【図８】副屋根用の小屋束を３本備えさせた場合の図３相当図である。
【図９】副屋根を切妻屋根にした場合の図２相当図である。
【図１０】図９の副屋根の架構を示す図３相当図である。
【図１１】従来の出窓部分の架構構造を示す図である。
【符号の説明】
１        住宅
２        出窓部分
３        主屋根
３１      軒
５１      第１小屋梁
５２      第２小屋梁
６１，６２納り柱
７        葺き上げ柱
８１，８２出隅柱（出窓柱）
１１ａ，１１ｂ出窓用小屋梁（梁材）
【図１】
0003756335.tif 000002
【図２】
0003756335.tif 000003
【図３】
0003756335.tif 000004
【図４】
0003756335.tif 000005
【図５】
0003756335.tif 000006
【図６】
0003756335.tif 000007
【図７】
0003756335.tif 000008
【図８】
0003756335.tif 000009
【図９】
0003756335.tif 000010
【図１０】
0003756335.tif 000011
【図１１】
0003756335.tif 000012